(57)【要約】【課題】情報端末装置が備えるバーコード機能を有効利用して、スケジュール登録までの操作回数を極力少なくし、バーコードシンボルに記録された情報をスケジュールに連動して表示することが可能な情報端末装置及びアラーム発生方法を提供することにある。【解決手段】制御部１０７はメインディスプレイ２にスケジュール編集画面を表示し、スケジュール登録を自動的に行うための制御情報に基づいて、件名、日時設定、繰り返し設定、アラーム通知設定、内容及び関連ファイル名の各項目に製作者が登録した情報を入力して表示する。登録ボタンを操作すると、制御部１０７は入力及び表示した各項目の情報をスケジュール管理データに登録する。【選択図】図１０
2006227765.tif 000002
【特許請求の範囲】
【請求項１】
登録した日時になるとアラームを発生させるスケジュール管理機能を有する情報端末装置において、
バーコードシンボルを読み取って記録された情報を認識する情報認識手段と、
前記情報認識手段が認識した情報中のスケジュール情報に基づいて、アラームを発生させる日時を登録するとともに、前記日時にアラームを発生させる制御手段と、
を具備することを特徴とする情報端末装置。
【請求項２】
請求項１に記載の情報端末装置において、
前記日時を修正する修正手段、
を具備することを特徴とする情報端末装置。
【請求項３】
請求項１又は請求項２に記載の情報端末装置において、
前記制御手段は、読み取った前記バーコードシンボルに記録された文字情報又は図形情報を第一表示手段に表示すること、
を特徴とする情報端末装置。
【請求項４】
請求項１乃至請求項３のいずれかに記載の情報端末装置において、
読み取った前記バーコードシンボルを送信する送信手段、
を具備することを特徴とする情報端末装置。
【請求項５】
請求項４に記載の情報端末装置において、
前記送信手段が送信した前記バーコードシンボルを受信する受信手段と、
前記受信手段が受信した前記バーコードシンボルに記録されたアラームを発生させる日時の情報を表示する第二表示手段と、
を具備することを特徴とする情報端末装置。
【請求項６】
登録した日時になるとアラームを発生させるスケジュール管理機能を有する情報端末装置で使用するアラーム発生方法において、
バーコードシンボルを読み取って記録された情報を認識する情報認識ステップと、
前記情報認識ステップが認識した情報中のスケジュール情報に基づいて、アラームを発生させる日時を登録するとともに、前記日時にアラームを発生させる制御ステップと、
を含むことを特徴とするアラーム発生方法。
【発明の詳細な説明】
【技術分野】
【０００１】
本発明は、情報端末装置及びアラーム発生方法に係り、更に詳しくは、登録した日時になるとアラームを発生させるスケジュール管理機能を有する情報端末装置及びアラーム発生方法に関する。
【０００２】
また、本発明は上記の方法（ステップ又は手順）を半導体メモリー、ＬＤ（レーザーディスク）、ＨＤ（ハードディスク）、ＦＤ（フレキシブルディスク）、ＭＤ（ミニディスク）、ＣＤ（コンパクトディスク）又はＤＶＤ（デジタルバーサタイルディスク又はデジタルビデオディスク）などの情報記憶媒体に記録したプログラムそのものにも関係している。
【背景技術】
【０００３】
携帯電話やＰＤＡ（Personal Digital Assistance：個人用の携帯情報端末）に代表される情報端末装置には、一般にスケジュール管理機能が備わっており、記念日や予定などを登録して、指定した日時にアラームを発生させることが可能である。また、スケジュールが登録されている日やオリジナル休日、記念日などは、スケジュールカレンダー画面上で他の日と区別して表示されるようになっており、ユーザは一目でスケジュールが登録されていることを確認できる。
【発明の開示】
【発明が解決しようとする課題】
【０００４】
しかし、そのスケジュール管理機能には、次のような問題点がある。
【０００５】
第１に、スケジュール管理機能を利用するためには、電話やメールで知らされたスケジュールの内容をユーザ自身が判断し携帯電話のキー操作を行ってそれらを登録しなければならない。
【０００６】
第２に、携帯電話のキーの操作回数や登録画面の遷移も非常に多く、スケジュールの登録までに手間と時間がかかるので、操作回数が少ないことが求められている。
【０００７】
ところで、最近の携帯電話にはバーコード機能が備わっており、内蔵のカメラを利用して商品に印刷されたバーコードに含まれる文字や図形、写真、画像などの情報（文字情報又は図形情報）を読み取ることが可能である。また、読み取った情報により、インターネットアクセスやメールの送信、電話の発信が行えたり、読み取った情報そのものをメモリダイヤルに登録したり、データフォルダに保存することができる。
【０００８】
本発明は、上記の問題点を解決する為になされたものであり、情報端末装置が備えるバーコード機能を有効利用して、スケジュール登録までの操作回数を極力少なくするとともに、バーコードシンボルに記録された文字情報又は図形情報をスケジュールに連動して表示することが可能な情報端末装置及びアラーム発生方法を提供することを目的とする。
【０００９】
なお、スケジュール管理機能に関して、本願発明に比較的近いと思われる第１従来技術（特許文献１）としては、「単に時間をパラメータとする従来の携帯端末によるアラーム機能によっては対応することができない種々の状況における適切なアラームを可能とすることができる通知システムを提供する」ことを課題とし、「移動体通信機２とインターネット３を介して移動体通信機２との間でデータ送受信可能に接続される管理サーバ１とよりなり、前記移動体通信機２におけるアラーム設定をインターネット３を介して管理サーバ１によって行なう通知システムを提供する。」という通知システムが出願公開されている。
【００１０】
第２従来技術（特許文献２）としては、「複数人の個々のユーザにより共有可能なスケジュールの登録を容易にし、且つ、各ユーザが他ユーザのスケジュールを容易に閲覧可能とする。」ことを課題とし、「携帯電話装置は、他のユーザの携帯電話装置から電子メールのデータフォーマットで送信されてきたデータを受信し（ステップＳ２１）、その受信データがスケジュールデータであるか判定する（ステップＳ２２）。次に携帯電話装置は、その受信したスケジュールデータを蓄積し（ステップＳ２４，ステップＳ２５）、さらに電子メールのデータフォーマットで送られてきているスケジュールデータを、スケジュールデータ本来のデータフォーマットへ戻す（ステップＳ２６，ステップＳ２７）。その後、携帯電話装置は、そのスケジュールデータを、自己のスケジュール帳へ自動的に登録する（ステップＳ２８）。」という情報通信装置及び情報通信方法、スケジュール共有プログラム、情報通信システムが出願公開されている。
【００１１】
第３従来技術（特許文献３）としては、「常に最新のスケジュールデータを自端末に保存して管理しておくことが可能な携帯電話装置を提供する。」ことを課題とし、「携帯電話装置１は自端末上でユーザが指定した時間間隔毎に、予めユーザが登録したイベントのスケジュールデータをＷＷＷサーバ４へ自動的に取得しにいき、取得したデータを基に自動的にスケジュール登録更新を行うＰＵＬＬ型スケジュール登録を行っている。携帯電話装置１では自端末上でユーザが指定した電話番号から着信があった時に電話送信者がパーソナルコンピュータ５からＷＷＷサーバ４にアップしたスケジュールデータを自動的にＷＷＷサーバ４へ取得しにいき、取得したデータを基に自動的にスケジュール登録更新を行うＰＵＳＨ型のスケジュール登録を行っている。」という移動通信システム、携帯電話装置及びそれらに用いるスケジュール登録方法並びにそのプログラムが出願公開されている。
【００１２】
第４従来技術（特許文献４）としては、「複数の携帯電話装置に同期させて記憶するスケジュールの登録更新を容易にする。」ことを課題とし、「携帯電話装置１ａは登録したスケジュール情報を電子メール１ｄなどの通信手段によって、同様のスケジュール情報の通信機能をもつ携帯電話装置１ｂや１ｃに送信することが可能であり、登録されたスケジュールの参加者を参照し、スケジュール情報が通信可能な参加者にはその情報を電子メールなどの通信手段で送付することができる。スケジュール情報を受信した携帯電話装置１ｂや１ｃではその情報を自携帯電話装置内の電子スケジュール帳に登録可能である。また、開催イベントの候補日時を複数指定し、参加者を指定することで自動的にその参加者の携帯電話装置と通信を行い、各参加者のスケジュール情報を獲得し自動的に最適日時を算出し、自動的にスケジュール調整を行うことが可能である。」という情報処理端末及びスケジュール同期方法が出願公開されている。
【特許文献１】特開２００３−１８６９８３
【特許文献２】特開２００４−１９９２２４
【特許文献３】特開２００４−１４６９６１
【特許文献４】特開２００３−０３７８７１
【課題を解決するための手段】
【００１３】
請求項１に係る本発明の情報端末装置は、上記の目的を達成するために、登録した日時になるとアラームを発生させるスケジュール管理機能を有する情報端末装置において、バーコードシンボルを読み取って記録された情報を認識する情報認識手段と、前記情報認識手段が認識した情報中のスケジュール情報に基づいて、アラームを発生させる日時を登録するとともに、前記日時にアラームを発生させる制御手段とを具備することを特徴とする。
【００１４】
請求項２に係る本発明の情報端末装置は、請求項１に記載の情報端末装置において、
前記日時を修正する修正手段を具備することを特徴とする。
【００１５】
請求項３に係る本発明の情報端末装置は、請求項１又は請求項２に記載の情報端末装置において、前記制御手段は、読み取った前記バーコードシンボルに記録された文字情報又は図形情報を第一表示手段に表示することを特徴とする。
【００１６】
請求項４に係る本発明の情報端末装置は、請求項１乃至請求項３のいずれかに記載の情報端末装置において、読み取った前記バーコードシンボルを送信する送信手段を具備することを特徴とする。
【００１７】
請求項５に係る本発明の情報端末装置は、請求項４に記載の情報端末装置において、前記送信手段が送信した前記バーコードシンボルを受信する受信手段と、前記受信手段が受信した前記バーコードシンボルに記録されたアラームを発生させる日時の情報を表示する第二表示手段とを具備することを特徴とする。
【００１８】
請求項６に係る本発明のアラーム発生方法は、登録した日時になるとアラームを発生させるスケジュール管理機能を有する情報端末装置で使用するアラーム発生方法において、バーコードシンボルを読み取って記録された情報を認識する情報認識ステップと、前記情報認識ステップが認識した情報中のスケジュール情報に基づいて、アラームを発生させる日時を登録するとともに、前記日時にアラームを発生させる制御ステップとを含むことを特徴とする。
【発明の効果】
【００１９】
本発明に係る情報端末装置によれば、バーコードシンボルを読み取って記録された情報を認識する情報認識手段と、前記情報認識手段が認識した情報中のスケジュール情報に基づいて、アラームを発生させる日時を登録するとともに、前記日時にアラームを発生させる制御手段とを具備するので、スケジュール登録までの操作回数を極力少なくすることが可能となる。
【００２０】
本発明に係る情報端末装置によれば、前記日時を修正する修正手段を具備するので、ユーザの都合に任意に合わすことが可能となる。
【００２１】
本発明に係る情報端末装置によれば、前記制御手段は、読み取った前記バーコードシンボルに記録された文字情報又は図形情報を第一表示手段に表示するので、文字情報又は図形情報をスケジュールに連動して表示する有効な広告とすることが可能となる。
【００２２】
本発明に係る情報端末装置によれば、読み取った前記バーコードシンボルを送信する送信手段を具備するので、自己のＰＣ（パーソナルコンピュータ）や友達などに必要に応じて有用な情報を保存又は通知することが可能となる。
【００２３】
本発明に係る情報端末装置によれば、前記送信手段が送信した前記バーコードシンボルを受信する受信手段と、前記受信手段が受信した前記バーコードシンボルに記録されたアラームを発生させる日時の情報を表示する第二表示手段とを具備するので、保存又は通知された有用な情報を確認することが可能となる。
【００２４】
本発明に係るアラーム発生方法によれば、バーコードシンボルを読み取って記録された情報を認識する情報認識ステップと、前記情報認識ステップが認識した情報中のスケジュール情報に基づいて、アラームを発生させる日時を登録するとともに、前記日時にアラームを発生させる制御ステップとを含むので、スケジュール登録までの操作回数を極力少なくすることが可能となる。
【発明を実施するための最良の形態】
【００２５】
まず、特許請求の範囲及び明細書中で使用する語句および用語の意味を定義する。
【００２６】
「バーコードシンボル」（Ｂａｒｃｏｄｅ Ｓｙｍｂｏｌ）とは、光学的反射率の高い部分と低い部分との組み合わせで情報を表示し、機械読み取り可能とした情報担体の総称であり、１次元シンボル（一次元バーコード）と２次元シンボル（二次元バーコード）が含まれる。また、バーコードシンボルは、クワイエットゾーン、スタート／ストップキャラクタ、データキャラクタ、チェックデジットをバーとスペースで構成される情報である。
【００２７】
「二次元バーコード」とは、従来のバーコードがバーコード・シンボルキャラクタを直線的に並べて一方向だけに情報を持っているのに対し、シンボルキャラクタまたはそれに相当する情報単位を縦・横の二方向に配置したシンボル情報を持つ事で、記録できる情報量を飛躍的に増加させたコードである。二次元バーコードには、バーコードを積み重ねたようなスタック型の二次元コードと碁盤の上に石を並べたようなマトリックス型の二次元コードがある。また、その最大情報量が約１ＫＢあり、英数字なら約2000字、数字なら約3000桁までエンコードすることができる。情報化密度が非常に高く、従来のバーコードに比べ10倍から100倍あるので、数ミリ四方の極小シンボルも作成できる。さらに、仮名や漢字、図形、バイナリーコードもエンコードできるため、ICカードやフレキシブルディスクのような汎用的な情報媒体としても利用でき、基本的には紙をベースとしているため低価格である。二次元コードは、シンボルの基本単位であるバーやセルがバーコードに比べ非常に小さいことから、汚れや傷の影響を受けやすいのであるが、近代的な二次元バーコードは、障害により読めなくなったデータや誤って読み取ったデータを元の正しいデータに復元する誤り訂正機能を備えている。この誤り訂正レベルは、エンコードするときに任意に設定することができ、大きく設定すれば、シンボルの半分以上が障害を受けても正しく読み取ることができる。
【００２８】
例えば、本発明に係る情報端末装置では、画面上に表示された高密度・大容量な二次元バーコードを読み取ることで、認識した制御情報中のスケジュール情報に基づいて、アラームを発生させる日時を自動的に登録して、スケジュール管理することができる。なお、ａｕの「A5502K」（2004年1月に発売された京セラ製携帯電話端末）には、二次元バーコード読み込み機能が既に搭載されており、本情報端末装置に利用できることは言うまでもない。但し、「ａｕ」及び「京セラ」は、登録商標である。
【００２９】
以下、本発明の実施の形態を図面と共に詳細に説明する。但し、本発明に係る情報端末装置の一例として折畳式携帯電話を参照する。
【００３０】
図１は、本発明に係る折畳式携帯電話の開いた状態の外観図であり、図１（Ａ）が正面図および図１（Ｂ）が背面図である。
【００３１】
１は、折畳式携帯電話本体であり、通常は通話および通話に関連する操作や電子メール操作を行う場合は開いた状態とし、一方、待ち受けや持ち運びの場合は一般的に閉じた状態とする。但し、折畳式携帯電話は、閉じた状態でメモリダイヤルの中から所望の発呼先を選択した後、装置本体を開状態にすることにより、当該発呼先に対応する電話番号へ自動的にダイヤルすることや、着信後に通話ボタンを操作することにより閉じた状態のままで通話が可能なようになっている。
【００３２】
２は、メインディスプレイであり、カラー液晶表示装置、ＤＭＤ（デジタル・ミラー・デバイス）や有機ＥＬ表示装置、ＰＤＰ（プラズマ・ディスプレイ・パネル）などで構成され、通知すべき情報、文字情報や現在時刻情報、画像情報及びスケジュール情報などの各種詳細情報を表示する。なお、折畳式携帯電話１が閉じられた状態では、ユーザは表示内容を確認できないので、メインディスプレイ２は自動的に消灯または電源ＯＦＦし節電に寄与する。
【００３３】
３は、フレキシブルキーであり、他のキーやボタンと組み合せて色々な機能を設定するときに使用する。例えば、メインディスプレイ２の下部に表示される各種項目ボタンを選択するキーとなったり、待ち受け中において左ボタンはファンクションキー（以下、「Ｆキー」と省略する。）および右ボタンは文字キーの機能が付与される。
【００３４】
４は、４接点キーであり、上下左右方向にカーソルを移動させたり、表示内容をその方向に順番にスクロールさせる。また、音量の設定やメモリダイヤルの呼び出し、リダイヤルや漢字変換などに使用される。
【００３５】
５は、Ｅメールキーであり、スカイメールやスーパーメールなどの電子メール機能を利用するときに使用する。また、文字を消去したり、前の表示に戻るときに使用する。
【００３６】
６は、ＯＫキーであり、選択されている項目を決定するときに使用する。
【００３７】
７は、終了／電源キーであり、電源をＯＮ／ＯＦＦしたり、通話の終了や応答を保留するときに使用する。
【００３８】
８は、テンキーであり、数字の０〜９と＊及び＃からなる１２個のキーで構成され、電話番号や文字を入力する。
【００３９】
９は、マイクであり、通話中に音声を送信する。
【００４０】
１０は、側面に配置されたイヤホン端子であり、イヤホンマイクを接続して各種音楽やラジオ及びテレビ放送を聴くことができる。
【００４１】
１１は、ＷＥＢキーであり、インターネット接続機能の表示画面に移行するときに使用する。また、電子メール機能の表示画面に移行する際や、ウェブやステーションを利用するとき及びメニューを表示して選択するときに使用する。
【００４２】
１２は、サイドキーであり、カメラで撮影するときに使用するシャッターボタンの機能を有する。また、閉じた状態で所定時間以上（例えば、３秒以上）サイドキー１２を完全に押した状態にすると、サブディスプレイ１８に撮像データを読み出して表示し、続けてサイドキー１２が操作されると順次他の撮像データを読み出して表示するようになっている。なお、簡易留守録を設定／解除したり、通話中に相手の声を録音したり、録音した内容を再生するときにも使用する（即ち、メモボタン）。
【００４３】
１３は、外部接続端子であり、図の下方向から急速充電器やシガーライター充電器、モバイルツールなどを接続する。
【００４４】
１４は、開始キーであり、電話をかけたり受けたりする際に使用する。
【００４５】
１５は、アンテナであり、通信に必要な電波を受信および送信する。
【００４６】
１６は、レシーバ（受話器）であり、相手の声や各種メッセージ音などが再生される。
【００４７】
１７は、スピーカであり、着信音が鳴る。
【００４８】
１８は、サブディスプレイであり、カラー液晶表示装置、ＤＭＤ（デジタル・ミラー・デバイス）や有機ＥＬ表示装置などの各種表示装置で構成されており、本体を閉じている場合に、待受時や着信時などの簡易情報を表示する。特に、サブディスプレイ１８は、通常設けられている着信ランプや撮影ランプを兼ねており、着信があると呼び出し相手に応じた色で点滅して通知したり、撮影時のシャッター開閉動作と連動して発光したり、充電中に赤色に点灯するようになっている。また、サブディスプレイ１８は、簡易情報に加えて後述する内蔵カメラで撮影した画像情報を表示することが可能でる。なお、折畳式携帯電話１が開かれた状態では、メインディスプレイ２に詳細内容が表示されるので、サブディスプレイ１８はバックライトだけが消灯し節電に寄与する。従って、表示されている文字は判読可能である。また、サブディスプレイ１８が消灯している際、サイドキー１２を操作すると、サブディスプレイ１８のバックライトは点灯し所定時間経過後に再び消灯する。
【００４９】
１９は、開閉検出スイッチであり、通信端末装置１が閉じた状態にあるか、完全に開いた状態にあるか、または半開きの状態にあるかを機械的に検出するマイクロスイッチである。ただし、折畳式携帯電話１が開いたことを検出する光センサーや開き角度を検出するエンコーダなど周知の手段を用いることができる。
【００５０】
２０は、充電可能な電池パックであり、折畳式携帯電話１の各種電子回路に必要な電力を供給する。
【００５１】
２１は、内蔵カメラであり、レンズを通して入力された人物や風景などの光がＣＣＤやＣ−ＭＯＳ人工網膜ＩＣ（例えば、三菱電機製Ｍ６４２７０ＡＧ：レンズ付き人工網膜ＬＳＩ）によって撮影される。なお、本願の出願時点では、解像度が２００万画素を超えるものも登場しており、デジタルカメラと同様に、より高画質化に向かっている。
【００５２】
図２は、本発明に係る折畳式携帯電話の構成を示すブロック図であり、例えば、ＩＳ−９５(Interim Standard 95)ベースのＣＤＭＡ(Code Division Multiple Access)方式携帯電話の移動端末装置に適用した場合を示している。但し、通信方式に関してはＣＤＭＡ方式に限定されるものではなく、ＰＤＣ(Personal Digital Cellular)やＰＨＳ(Personal Handyphone System)など、いずれでもよい。
【００５３】
１０１は、送受信部であり、アンテナ１１５で受信した音声や映像及び各種制御信号が含まれる電波信号を中間周波数帯に変換したり、中間周波数帯の送信信号を無線周波数帯に変換して送受信する。
【００５４】
１０２は、モデム部であり、送受信信号を変復調する。なお、モデム（MOdulator-DEModulator）とは、「変復調装置」の略であり、コンピュータから送られてくるデジタルデータを音声信号に変換して電話回線に流したり、電話回線を通じて聞こえてくる音声信号をデジタルデータに変換する装置である。
【００５５】
１０３は、音声コーデック部であり、音声信号の符号化や復号化を行う。なお、コーデック（COder DECoder）とは、アナログ信号をデジタルデータに変換したり、その逆をおこなう電子回路である。また、信号やデータを一定の規則に従って符号化／復号化する回路や装置及びソフトウェアのことであり、音声や画像の記録や伝達に用いられる。
【００５６】
１０４は、アナログフロントエンド部であり、符号化された音声信号をデジタル／アナログ変換してレシーバ１０６を駆動したり、マイク１０５より入力された音声信号をアナログ／デジタル変換して音声コーデック部１０３に出力する。
【００５７】
１０７は、制御部であり、通話に必要な制御（例えば、位置登録、待ち受け、リンク確立、ハンドオーバなどの制御）や表示制御、スケジュール管理制御など情報端末装置に関する全ての制御を行う。特に、制御部１０７は、二次元バーコードなどのバーコードシンボルを読み取って、記録されている制御情報（例えば、スケジュール情報）を認識し、アラームを発生させる日時を登録するとともに、登録した日時にアラームを自動的に発生させる制御や、登録した日時の修正制御を行う。また、制御部１０７は、読み取ったバーコードシンボルに記録されている広告文などの文字情報や図形情報をメインディスプレイ２に表示したり、二次元バーコードを画像データ（ビットマップ、ＪＰＥＧ、ＴＩＦファイル）として電子メールに添付して送受信し、バーコードシンボルに記録されたアラームを発生させる日時の情報をメインディスプレイ２に表示する制御を行う。なお、二次元バーコードは、携帯電話同士のＩｒＤＡ（Infrared Data Association）規格に基づく赤外線通信や一般のデータ通信で送受信可能である。
【００５８】
１０８は、キー入力部であり、制御プログラムで規定された操作手順に従って、必要なデータを制御部１０７などに入力する。
【００５９】
１０９は、表示部であり、カラー液晶表示装置（カラーＬＣＤ装置）や有機ＥＬ（有機エレクトロ・ルミネッセンス）及びＰＤＰ（プラズマ・ディスプレイ・パネル）などから成り、発呼者データ、画像データ及び二次元バーコードなど必要な情報を適宜表示する。
【００６０】
１１０は、大容量にＲＯＭ及びＲＡＭからなる記憶部であり、発呼や電子メールの送受信に使用する電話帳データ、写真や二次元バーコードなどの画像データ、スケジュール管理データ、着信メロディの楽曲データおよび保留メロディデータなどを記憶する。特に、記憶部１１０に記憶されるスケジュール管理データは、後述するように、二次元バーコードのファイル名をスケジュールに対応付けて記憶されるようになっており、スケジュールが表示されるときに二次元バーコードの広告情報を表示することが可能である。
【００６１】
１１１は、メロディ発生部であり、記憶部１０が記憶する着信メロディの楽曲データや受信した楽曲データに基づいて、着信メロディを発生させる。また、通話中においてキー入力部８の保留キーが操作されると、通話相手に対応する着信メロディをモデム部２、送受信部１およびアンテナ１５を経由して送信する。ただし、音声コーデック部３を経由する場合もある。
【００６２】
１１２は、外部接続端子であり、ＤＳＣ（デジタル・スチル・カメラ）やＤＶＣ（デジタル・ビデオ・カメラ）、スキャナなどの画像データ入力装置やＭＩＤＩ対応音楽装置などから画像データや楽曲データが入力される。従って、外部接続端子１１２に接続された画像データ入力装置（外部入出力装置１１３）により二次元バーコードを読み取ることが可能である。
【００６３】
１１４は、カメラ部であり、前述した内蔵カメラ２１が対応する。
【００６４】
つぎに、上述のように構成された本発明に係る情報端末装置（実施例では、折畳式携帯電話）の動作について詳細に説明する。
【００６５】
図３は、記憶部１１０に登録されているスケジュール管理データの概念図である。
【００６６】
スケジュール管理データの項目としては、図３に示すとおり、管理番号、件名、日時設定、繰り返し設定、アラーム通知設定、内容及び関連ファイル名などであり、その他の情報としては、「予定」／「完了」を切り替えるＮＯＷ状態やシークレット、カテゴリ、優先度を設定できるオプションがあるが本発明に直接関係しないので記載を省略している。また、スケジュール機能には、オリジナル休日や記念日が含まれている。
【００６７】
管理番号は、スケジュールの作成順を示す番号であり、最大１５０件登録できる。
【００６８】
件名は、スケジュールの見出しであり、全角最大８文字又は半角最大１６文字を登録できる。
【００６９】
日時設定は、スケジュールの開始日時と終了日時を設定する。
【００７０】
繰り返し設定は、スケジュールの繰り返しなし、毎日、毎週、毎月及び毎年の設定をする。
【００７１】
アラーム通知設定は、アラームを起動する時刻、アラーム音及びアラームイラストを設定する。
【００７２】
内容は、スケジュールの詳細であり、全角最大６４文字又は半角最大１２８文字を登録できる。
【００７３】
関連ファイル名は、登録したスケジュールに対応する情報を記憶するデータファイル名であり、例えば、文書ファイル、案内チラシや集合場所を示す地図及び音声ファイルなどである。特に、二次元バーコードを画像データファイル（ビットマップ、ＪＰＥＧ、ＴＩＦファイル）として登録できる。
【００７４】
図３（Ａ）において、スケジュール管理データの管理番号１には、件名「○○のコンサート」、日時設定「２００５年２月１日１８時００分〜２００５年２月１日２１時００分」、繰り返し設定「繰り返しなし」、アラーム通知設定「１６時００分」、内容「××さんと１７時に新宿駅で待ち合わせ。コンサート会場は…」及び関連ファイル名「ＮＵＬＬ」がユーザの操作により既に登録されている。
【００７５】
図３（Ｂ）は、ユーザが折畳式携帯電話１を操作して、図３（Ａ）の状態からスケジュール管理データの管理番号２を新たに登録した状態を示している。
【００７６】
図４は、折畳式携帯電話のメインディスプレイの模式図である。
【００７７】
まず、ユーザがキー入力部１０８によりスケジュール管理データの新規登録に必要な操作を行うと、制御部１０７はメインディスプレイ２にスケジュール編集画面を表示する（図４（Ａ）参照）。このスケジュール編集画面には、ユーザに種別選択をさせるために、スケジュール、オリジナル休日及び記念日の項目が表示される。なお、反転表示されている項目が選択状態にあるごとを示している。
【００７８】
ユーザが４接点キー４を上下に操作して、スケジュールを反転表示させた後、選択ボタン（図示せず）を押すと、制御部１０７はメインディスプレイ２にスケジュール編集画面を表示する（図４（Ｂ）参照）。このスケジュール編集画面には、ユーザに各項目を設定させるために、件名、日時設定、繰り返し設定、アラーム通知設定、内容及び関連ファイル名の項目を表示する。
【００７９】
この状態で、ユーザが各項目に必要な情報を入力及び登録したのが図３（Ｂ）であり、スケジュール管理データの管理番号２には、件名「花屋のアルバイト」、日時設定「２００５年２月２日８時００分〜２００５年２月１２日１７時００分」、繰り返し設定「毎日」、アラーム通知設定「６時００分」、内容「渋谷の△△花屋でＡ子と８時からアルバイト。１０分前に渋谷駅で待ち合わせ。△△花屋の場所は…」及び関連ファイル名「△△花屋の地図.jpg」が新規登録されている。なお、この登録操作は全てユーザが手入力で行うため、労の多い非常に大変な操作と言える。
【００８０】
図５は、新聞や週刊誌中に掲載された広告の概要図である。
【００８１】
この広告は、出願人が制作した携帯コンテンツ「実写推理事件簿」の完全コミック化であるコミック雑誌「情報捜査官C-Police」（作：富沢義彦  画：福田道生）の発売日と価格を知らせるためのものであり、ユーザが広告の内容を取り込んで簡単に発売スケジュールを登録するため、右下に二次元バーコード２２が印刷されている。なお、広告の情報量が多い場合には、情報量に応じて二次元バーコード２２を複数印刷すれば、全ての情報を納めることが可能である。
【００８２】
図６は、本発明に係る折畳式携帯電話の開いた状態の外観図である。
【００８３】
ユーザがキー入力部１０８を操作してカメラ部１１４を起動し、二次元バーコード２２をメインディスプレイ２の枠内に収まるように表示させた後、認識ボタン（図示せず）を押すと、制御部１０７は二次元バーコード２２を解析する。なお、二次元バーコード２２が分割データの場合には、「分割データです。次のシンボルを読み取りますか」というメッセージが制御部１０７によってメインディスプレイ２に表示される。
【００８４】
図７は、二次元シンボルの読み取り走査の概念図である。
【００８５】
制御部１０７は、バーコードシンボルを読むために、バーコードシンボルに対し、水平及び垂直の両方向を走査して、記録されているデータを認識する。なお、携帯電話で認識可能なバーコードはマトリクスシンボル体系に属する「ＱＲコード」が一般的であり、主に格子状にデータを配し、符号化領域、機能パターン及びクワイエットゾーンによって構成されている。
【００８６】
図８は、二次元シンボルのデータ構成を示す概念図である。
【００８７】
図８（Ａ）は、二次元バーコード２２（二次元シンボル）の基本構造を示しており、ヘッダ部２２ａ、広告本文２２ｂ及び制御コード部２２ｃで構成されている。
【００８８】
ヘッダ部２２ａは、広告やスケジュール登録といった二次元バーコード２２の使用目的に関する情報や、広告本文２２ｂに含まれるファイル構成（テキストファイル、画像ファイル、音楽ファイルなど）及び制御コード部２２ｃの有無情報を記憶する。
【００８９】
広告本文２２ｂは、折畳式携帯電話１に表示させるテキストファイル、画像ファイルなどの広告又は一緒に流す音楽ファイルなどの広告コンテンツ情報を記憶する。
【００９０】
制御コード部２２ｃは、テキストファイル、画像ファイル及び音楽ファイルなどの広告コンテンツ情報を表示する順序やタイミング及びスケジュール登録を自動的に行うための制御情報を記憶する。
【００９１】
図９は、折畳式携帯電話のメインディスプレイの模式図である。
【００９２】
制御部１０７は、二次元バーコード２２のヘッダ部２２ａ、広告本文２２ｂ及び制御コード部２２ｃを認識すると、テキスト及び画像データからなる広告本文をメインディスプレイ２に表示するとともに、音楽情報に基づいて「情報捜査官C-Police」のテーマソングをＢＧＭとして流す。
【００９３】
図９と図５を比較して分かるように、制御部１０７は、縦長のメインディスプレイ２に表示するために、コンテンツ情報を表示する順序情報に基づいて、テキストファイル、左イラスト、右イラストの順で表示する。なお、制御部１０７は、表示データを記憶部１１０のバッファメモリ（大容量ＲＡＭ）に一旦展開し、ユーザのキー操作を待つ。
【００９４】
この表示状態で、ユーザが４接点キー４を上下方向に操作すると、制御部１０７は、メインディスプレイ２のウィンドウを操作方向に応じて上下に移動させるので、現在見えていない下部も全て高速に表示させることができる。この様に、イラスト表示と同時にテーマソングが流れるので、ユーザは購買心を強くし販売促進に効果がある。
【００９５】
図１０は、折畳式携帯電話のメインディスプレイの模式図である。
【００９６】
図９の状態で、ユーザがスケジュール登録ボタン（図示せず）を押すと、制御部１０７はメインディスプレイ２にスケジュール編集画面を表示し、スケジュール登録を自動的に行うための制御情報に基づいて、件名、日時設定、繰り返し設定、アラーム通知設定、内容及び関連ファイル名の各項目に製作者が登録した情報を入力して表示する。なお、この状態でユーザは修正可能である。一方、図９の状態で、ユーザが終了／電源キー７を押すと、制御部１０７は「スケジュール登録を行いますか」と確認し、ＯＫボタン（図示せず）を操作すると上述したスケジュール編集画面を表示する。
【００９７】
図１１は、記憶部１１０に登録されているスケジュール管理データの概念図である。
【００９８】
図１０の状態で、ユーザが登録ボタン（図示せず）を操作すると、制御部１０７は入力及び表示した各項目の情報をスケジュール管理データに登録するとともに、メインディスプレイ２に表示させた二次元バーコード２２（図６参照）を前述した制御情報中に指定されているファイル名「C-Police20050203.qrc」として記憶部１１０のバーコード記憶部に記憶する。
【００９９】
スケジュール管理データの管理番号３には、件名「コミック誌情報捜査官」、日時設定「２００５年２月１日０時００分〜２００５年２月３日２３時５９分」、繰り返し設定「毎日」、アラーム通知設定「１２時００分」、内容「「情報捜査官C-Police」、２００５年２月３日発売、￥５００…」及び関連ファイル名「C-Police20050203.qrc」が新規登録されている。なお、この登録操作はユーザの手入力操作が殆ど不要なため、大変楽な操作と言える。このスケジュール登録により、２００５年２月１日〜２００５年２月３日の１２時丁度にスケジュール表示とアラーム発生が毎日実行されるので、ユーザはコミック誌情報捜査官の発売日を忘れることが無い。
【０１００】
図１１の状態で、ユーザが管理番号３のスケジュール確認操作をした場合、制御部１０７は管理番号３に登録している情報をメインディスプレイ２に表示する。また、ユーザが関連ファイル名を選択し実行させると、制御部１０７は二次元バーコード２２のヘッダ部２２ａ、広告本文２２ｂ及び制御コード部２２ｃを認識し、テキスト及び画像データからなる広告本文をメインディスプレイ２に表示するとともに、音楽情報に基づいて「情報捜査官C-Police」のテーマソングをＢＧＭとして流す（図９参照）。
【０１０１】
更に、ユーザが記憶部１１０のメモリ編集機能でファイル名「C-Police20050203.qrc」を削除しようとすると、制御部１０７はスケジュール管理データの関連ファイル名を検索し、一致するものがあるので「スケジュールに登録されているファイルです。削除しますか」とメインディスプレイ２に表示してユーザに注意を喚起する。そして、ユーザがＯＫボタン（図示せず）で削除指示すると、制御部１０７は「C-Police20050203.qrc」を削除する。なお、この削除のときに関連するスケジュール（この場合、管理番号３）を消去するようにしてもよい。
【０１０２】
次に、本発明に係る情報端末装置及びアラーム発生方法（バーコードシンボルによるスケジュール登録方法）の応用例を説明する。
【０１０３】
１．広告・プロモーション
新商品販売日・セール開催日・展示会開催日・スポーツイベント開催日、イベント開催日など広告したい内容（図８の広告本文２２ｂ参照）をデータ化及び二次元バーコード化し、ポスター・雑誌広告・新聞広告・チラシ・商品パッケージなどバーコードを記載できる媒体に載せる。そして、二次元バーコード２２のデータを読み取ったユーザの携帯アラームをその期日（図８の制御コード部２２ｃ参照）を想起させるタイミングで鳴らし、同時に例えば、「２００５年×月×日×時ＡＢＣ百貨店セール開催」のスケジュール情報もメインディスプレイ２に表示させる。また、クーポン（割引券・優待券）として利用できる情報であれば、制御コード部２２ｃにその期限を知らせる情報を記憶させ、アラーム設定なども可能である。
【０１０４】
２．流通
納品期日、出荷予定時間などのスケジュール管理の二次元バーコード２２を、商品パッケージやダンボール箱に貼り付けることによって、その二次元バーコードデータを読み取った担当者の携帯アラームをその期日（図８の制御コード部２２ｃ参照）を想起させるタイミングで鳴らし、同時に「２００５年×月×日×時ＤＥＦビールを出荷、宛先ＧＨＩ商店」の情報もメインディスプレイ２に表示させる。商品名・品番・価格などのラベル（商品タグ）に出荷先や出荷予定日などの情報を二次元バーコード２２として埋め込むことができ、商品管理が省力化できる。
【０１０５】
３．テレビ、ラジオ番組
テレビ番組表や、新聞テレビ欄などに二次元バーコード２２を載せ、そのデータを読み取ったユーザの携帯アラームをその期日を想起させるタイミングで鳴らし、同時に「２００５年×月×日×時ＪＫＬ王国の不思議  放映」のスケジュール情報もメインディスプレイ２に表示させる。
【０１０６】
４．映画（CD/書籍）
広告と同様であるが、ポスターや前売りチケット、プロモーションを載せたパッケージなどにバーコードを載せ、二次元バーコード２２のデータを読み取ったユーザの携帯アラームをその期日（図８の制御コード部２２ｃ参照）を想起させるタイミングで鳴らし、スケジュール情報もメインディスプレイ２に表示させる。
【０１０７】
５．選挙
ポスターやプロモーション物に選挙の日又は候補者のポスターであれば演説の場所と日時などをバーコードで載せ、二次元バーコード２２のデータを読み取ったユーザの携帯アラームをその期日（図８の制御コード部２２ｃ参照）を想起させるタイミングで鳴らし、スケジュール情報もメインディスプレイ２に表示させる。
【０１０８】
６．行政
納付や申請などに関わる期限を郵便物などにバーコードで載せておき、二次元バーコード２２のデータを読み取ったユーザの携帯アラームをその期日（図８の制御コード部２２ｃ参照）を想起させるタイミングで鳴らし、スケジュール情報もメインディスプレイ２に表示させる。その結果、納税や保険料徴収に役立つ。また、免許や福祉サービスの期限切れや更新もれ、申請もれなどを防ぐことができる。
【０１０９】
７．医療・薬品
処方箋や薬品のパッケージに例えば朝昼1度ずつと書いてある場合、バーコードでも同じ情報を載せておき、二次元バーコード２２のデータを読み取ったユーザの携帯アラームを１２時間（図８の制御コード部２２ｃ参照）ごとに鳴らすことができる。
【０１１０】
図１２は、処方箋の概要図である。
【０１１１】
この処方箋２３は、○山△子にだされたもので、その内容は、風邪薬（２週間分）を朝夕の食後に服用せよというものである。また、処方箋の内容を取り込んで簡単にスケジュールを登録するため、右下に二次元バーコード２２が印刷されている。
【０１１２】
図１３は、本発明に係る折畳式携帯電話の外観図であり、図１３（Ａ）は正面図及び図１３（Ｂ）はメインディスプレイである。
【０１１３】
○山△子は、処方箋に記載されている「風邪薬を朝夕飲んだ時にスケジュール登録してください。」との指示に従い、２００５年２月４日の朝食後７時１５分にキー入力部１０８を操作してカメラ部１１４を起動し、二次元バーコード２２をメインディスプレイ２の枠内に収まるように表示させたと仮定する（図１３（Ａ）参照）。
【０１１４】
図１３（Ａ）の状態で、○山△子が認識ボタン（図示せず）を押すと、制御部１０７は二次元バーコード２２を解析するとともに、メインディスプレイ２にスケジュール編集画面を表示し、スケジュール登録を自動的に行うための制御情報に基づいて、件名、日時設定、繰り返し設定、アラーム通知設定、内容及び関連ファイル名の各項目に製作者が登録した情報を入力して表示する（図１３（Ｂ）参照）。なお、この二次元バーコード２２はスケジュール登録をするだけのものであり、広告本文２２ｂにデータは入っていない。
【０１１５】
制御部１０７は、制御コード部に記憶している制御データに基づき、件名「処方箋」、日時設定「２００５年２月４日７時１５分〜２００５年２月１７日」、繰り返し設定「毎日」、アラーム通知設定「７時１５分」、内容「風邪薬（２週間分）を朝夕の食後に服用してください。」及び関連ファイル名「MEDICAL20050204.qrc」を表示する。なお、さらに詳細に説明すると、この場合、制御部１０７は内蔵時計により、○山△子が認識ボタンを押した時刻「２００５年２月４日７時１５分」を確認し、日時設定を制御データに記載された１４日間である「２００５年２月４日７時１５分〜２００５年２月１７日」を計算し及び第１アラーム時間「７時１５分」を制御データの指示に従って表示するのである。つまり、制御部１０７は、現在時刻に基づいて、日時設定及びアラーム時間を自動入力して表示するのである。
【０１１６】
図１４は、記憶部１１０に登録されているスケジュール管理データの概念図である。
【０１１７】
図１３（Ｂ）の状態で、ユーザが登録ボタン（図示せず）を操作すると、制御部１０７は入力及び表示した各項目の情報をスケジュール管理データに登録する（図１４（Ａ）参照）。また、制御部１０７はメインディスプレイ２に表示させた二次元バーコード２２（図１３（Ａ）参照）を前述した制御情報中に指定されているファイル名「MEDICAL20050204.qrc」として記憶部１１０のバーコード記憶部に記憶する。
【０１１８】
図１５は、本発明に係る折畳式携帯電話の外観図であり、図１５（Ａ）は正面図及び図１５（Ｂ）はメインディスプレイである。
【０１１９】
○山△子は、処方箋に記載されている「風邪薬を朝夕飲んだ時にスケジュール登録してください。」との指示に従い、２００５年２月４日の夕食後１９時４５分にキー入力部１０８を操作してカメラ部１１４を起動し、二次元バーコード２２をメインディスプレイ２の枠内に収まるように表示させたと仮定する（図１５（Ａ）参照）。
【０１２０】
図１５（Ａ）の状態で、○山△子が認識ボタン（図示せず）を押すと、制御部１０７は二次元バーコード２２を解析するとともに、制御コード部に記憶している制御データに基づき、既に登録されている管理番号４にスケジュール情報を追加入力して表示する（図１５（Ｂ）参照）。すなわち、制御部１０７は、管理番号４のスケジュール情報を読み出して、日時設定「２００５年２月４日７時１５分〜２００５年２月１７日１９時４５分」及びアラーム通知設定「７時１５分、１９時４５分」に変更して表示するのである。
【０１２１】
図１５（Ｂ）の状態で、ユーザが登録ボタン（図示せず）を操作すると、制御部１０７は入力及び表示した各項目の情報をスケジュール管理データに登録する（図１４（Ｂ）参照）。このスケジュール登録により、２００５年２月４日〜２００５年２月１７日の７時１５分と１９時４５分にスケジュール表示とアラーム発生が毎日実行されるので、ユーザは投薬を忘れることが無い。なお、制御部１０７は、上記の実施例において、二次元バーコード２２をファイル名「MEDICAL20050204.qrc」としてバーコード記憶部に記憶させたが、その一方、制御部１０７は、表示又は演奏すべき広告本文２２ｂが存在しないときには、二次元バーコード２２をバーコード記憶部に記憶しないようにしてもよい。
【０１２２】
図１６は、本発明に係るアラーム発生方法（スケジュール自動登録方法）のフローチャートである。
【０１２３】
制御部１０７は、図６の状態で認識ボタン（図示せず）が押されると、このサブルーチンを呼び出し、ステップＳ１００でヘッダ部２２ａを認識し、ステップＳ１０１で広告本文２２ｂがあるか否かを判断する。
【０１２４】
制御部１０７は、ステップＳ１０１で広告本文２２ｂが存在する場合、ステップＳ１０２に移行して、広告本文２２ｂのファイルを実行することにより、テキスト及び画像データからなる広告本文をメインディスプレイ２に表示するとともに、音楽情報に基づいて楽曲を演奏してステップＳ１０３に移行する一方、存在しない場合、そのままステップＳ１０３に移行する。
【０１２５】
制御部１０７は、ステップＳ１０３で制御コード部２２ｃがあるか否かを判断し、制御コード部２２ｃが存在する場合、ステップＳ１０４に移行して、メインディスプレイ２にスケジュール編集画面を表示し、スケジュール登録を自動的に行うための制御情報に従って日時設定、繰り返し設定、アラーム通知設定、内容及び関連ファイル名の各項目に製作者が登録した情報を入力して、各項目の情報をスケジュール管理データに登録して終了する一方、存在しない場合、そのまま終了する。
【図面の簡単な説明】
【０１２６】
【図１】本発明に係る折畳式携帯電話の開いた状態の外観図である。
【図２】本発明に係る折畳式携帯電話の構成を示すブロック図である。
【図３】記憶部１１０に登録されているスケジュール管理データの概念図である。
【図４】折畳式携帯電話のメインディスプレイの模式図である。
【図５】新聞や週刊誌中に掲載された広告の概要図である。
【図６】本発明に係る折畳式携帯電話の開いた状態の外観図である。
【図７】二次元シンボルの読み取り走査の概念図である。
【図８】二次元シンボルのデータ構成を示す概念図である。
【図９】折畳式携帯電話のメインディスプレイの模式図である。
【図１０】折畳式携帯電話のメインディスプレイの模式図である。
【図１１】記憶部１１０に登録されているスケジュール管理データの概念図である。
【図１２】処方箋の概要図である。
【図１３】本発明に係る折畳式携帯電話の外観図である。
【図１４】記憶部１１０に登録されているスケジュール管理データの概念図である。
【図１５】本発明に係る折畳式携帯電話の外観図である。
【図１６】本発明に係るアラーム発生方法のフローチャートである。
【符号の説明】
【０１２７】
１        折畳式携帯電話本体
２        メインディスプレイ
３        フレキシブルキー
４        ４接点キー
５        Ｅメールキー
６        ＯＫキー
７        終了／電源キー
８        テンキー
９        マイク
１０      イヤホン端子
１１      ＷＥＢキー
１２      サイドキー
１３      外部接続端子
１４      開始キー
１５      アンテナ
１６      レシーバ
１７      スピーカ
１８      サブディスプレイ
１９      開閉検出スイッチ
２０      電池パック
２１      内蔵カメラ
２２      二次元バーコード
２２ａ    ヘッダ部
２２ｂ    広告本文
２２ｃ    制御コード部
２３      処方箋
１０１    送受信部
１０２    モデム部
１０３    音声コーデック部
１０４    アナログフロントエンド部
１０５    マイク
１０６    レシーバ
１０７    制御部
１０８    キー入力部
１０９    表示部
１１０    記憶部
１１１    メロディ発生部
１１２    外部接続端子
１１３    外部入出力装置
１１４    カメラ部
【図１】
2006227765.tif 000003
【図２】
2006227765.tif 000004
【図３】
2006227765.tif 000005
【図４】
2006227765.tif 000006
【図５】
2006227765.tif 000007
【図６】
2006227765.tif 000008
【図７】
2006227765.tif 000009
【図８】
2006227765.tif 000010
【図９】
2006227765.tif 000011
【図１０】
2006227765.tif 000012
【図１１】
2006227765.tif 000013
【図１２】
2006227765.tif 000014
【図１３】
2006227765.tif 000015
【図１４】
2006227765.tif 000016
【図１５】
2006227765.tif 000017
【図１６】
2006227765.tif 000018